(57)【要約】      （修正有）【課題】長時間の連続使用に耐えられ、目詰まりの少ない繊維状の塵や粗粉塵の捕集に適したメンテナンスが容易な集塵機を提供する。【解決手段】繊維・粗粉塵用集塵機１は吸気口３と排気口５とを備える捕集ボックス７と、排気口５の近傍に設けられ、捕集ボックス７内に吸気口３から取り込んだエアＡを排気口５から排気する気流を形成する排気ファン１３と、捕集ボックス７内において回転可能な状態で設けられる円板状のフィルタードラム２１と、フィルタードラム２１を回転させる回転駆動手段と、フィルタードラム２１の表面に付着した繊維状の塵と粗粉塵を掻き取る掻き取り手段３５とを具備する構成。【選択図】図２
0003132349.tif 000002
【実用新案登録請求の範囲】
【請求項１】
吸気口と排気口とを備える捕集ボックスと、
上記排気口の近傍に設けられ、上記捕集ボックス内に吸気口から取り込んだエアを排気口から排気する気流を形成する排気ファンと、
上記捕集ボックス内において回転可能な状態で設けられる円板状のフィルタードラムと、
上記フィルタードラムを回転させる回転駆動手段と、
上記フィルタードラムの表面に付着した繊維状の塵と粗粉塵を掻き取る掻き取り手段と、
を具備していることを特徴とする繊維・粗粉塵用集塵機。
【請求項２】
請求項１に記載の繊維・粗粉塵用集塵機において、
上記フィルタードラムの周縁には、所定ピッチの係合穴が多数設けられており、
上記回転駆動手段は上記係合穴と係合するスプロケットと、該スプロケットを回転駆動するギヤモータによって構成されていることを特徴とする繊維・粗粉塵用集塵機。
【請求項３】
請求項１又は請求項２に記載の繊維・粗粉塵用集塵機において、
上記掻き取り手段は周面の一部に長手方向に延びるスリットが形成されたパイプ状部材によって構成されていることを特徴とする繊維・粗粉塵用集塵機。
【請求項４】
請求項１〜請求項３の何れかに記載の繊維・粗粉塵用集塵機において、
上記掻き取り手段は上記フィルタードラム表面の捕集面の中心から外周にかけて半径方向に延びる直線上に配置されていることを特徴とする繊維・粗粉塵用集塵機。
【請求項５】
請求項１〜請求項４の何れかに記載の繊維・粗粉塵用集塵機において、
上記掻き取り手段には掻き取った繊維状の塵と粗粉塵を外部に取り出す取出用ダクトホースが取り付けられていることを特徴とする繊維・粗粉塵用集塵機。
【請求項６】
請求項５に記載の繊維・粗粉塵用集塵機において、
上記取出用ダクトホースの他端には外部に取り出した繊維状の塵と粗粉塵を袋体内に収容する第２集塵機が接続されていることを特徴とする繊維・粗粉塵用集塵機。
【請求項７】
請求項６に記載の繊維・粗粉塵用集塵機において、
上記第２集塵機は、ドラムと、
上記ドラムに着脱可能に取り付けられ吸引された繊維状の塵と粗粉塵を含んだエアが内側から外側に通過することにより繊維状の塵と粗粉塵を内側に分離させるフィルタと、
上記ドラムに着脱可能に取り付けられ上記フィルタによって分離された繊維状の塵と粗粉塵を収容する袋体と、
上記ドラムに接続され繊維状の塵と粗粉塵を含んだエアを吸引して上記フィルタ内に供給すると共に吸引した繊維状の塵と粗粉塵の塊を粉砕する吸気ファンと、
を具備していることを特徴とする繊維・粗粉塵用集塵機。
【請求項８】
請求項７に記載の繊維・粗粉塵用集塵機において、
上記第２集塵機におけるドラムと、フィルタと、袋体は２組設けられており、単一の吸気ファンによって吸引された繊維状の塵と粗粉塵を含んだエアを上記２組のうち何れか一方の組のドラムと、フィルタと、袋体に供給できるようにする切替え手段が設けられていることを特徴とする繊維・粗粉塵用集塵機。
【請求項９】
請求項８に記載の繊維・粗粉塵用集塵機において、
上記切替え手段は、１つの吸入口と２つの排出口を備えたダンパーボックスと、
上記ダンパーボックス内に収容され、上記２つの排出口を選択的に開放ないし閉鎖するダンパーと、
上記ダンパーを回動させて流入経路を切り替える切替えレバーと、
上記２つの排出口とドラムとを個別に接続する切替えダクトホースと、
上記ダンパーの切替え状態をロックするロック手段と、
を具備していることを特徴とする繊維・粗粉塵用集塵機。
【考案の詳細な説明】
【技術分野】
【０００１】
本考案は、例えば、製茶工場、製紙工場、鋳物工場等で発生する繊維状の塵や粗めの粉塵を捕集するのに適した繊維・粗粉塵用集塵機に係り、特に長時間の連続使用に耐えられる目詰まりの少ない繊維・粗粉塵用集塵機に関するものである。
【背景技術】
【０００２】
従来から製紙工場等では繊維状の塵や粗めのゴミや粉塵等が多く浮遊していることから、これらの繊維状の塵や粗粉塵等を捕集するために集塵機が使用されている。
又、鋳物工場等でも鋳物の中空部を作るための中子の材料である発泡スチロール等の粉塵が多く浮遊しており、これらを捕集するために同様の集塵機が使用されている。
しかし使用されている集塵機は細かな粉塵等を対象にした一般的な集塵機であるため、フィルタの目詰まりが生じ易く、頻繁にフィルタを交換しなければならなかった。
又、上記製紙工場等では２４時間連続して工場を稼動させている場合が一般的であり、上記頻繁に行わなければならないフィルタの交換作業は非常に煩わしい作業となっていた。
この種の集塵機を開示するものとして、例えば、特許文献１がある。
【特許文献１】特開２００３−２５１１２３号公報
【考案の開示】
【考案が解決しようとする課題】
【０００３】
上記背景技術及び背景技術が抱えていた問題点を踏まえて本考案が解決しようとする課題を整理すると、従来頻繁に行っていたフィルタの交換作業を極力少なくし、フィルタの目詰まりを少なくして効率の良い繊維状の塵と粗粉塵の捕集を可能にすることである。
【０００４】
本考案はこのような点に基づいてなされたものでその目的とするところは、フィルタードラムが長時間、繊維状の塵や粗粉塵を捕集し得るようにフィルタードラムの表面をクリーニングする手段を設けると共に、捕集した繊維状の塵や粗粉塵等を速やかに外部に取り出して長時間の連続的な捕集に耐えられるメンテナンスが容易で捕集効率に優れる繊維・粗粉塵用集塵機を提供することにある。
【課題を解決するための手段】
【０００５】
上記目的を達成するべく本願考案の請求項１による繊維・粗粉塵用集塵機は、吸気口と排気口とを備える捕集ボックスと、上記排気口の近傍に設けられ、上記捕集ボックス内に吸気口から取り込んだエアを排気口から排気する気流を形成する排気ファンと、上記捕集ボックス内において回転可能な状態で設けられる円板状のフィルタードラムと、上記フィルタードラムを回転させる回転駆動手段と、上記フィルタードラムの表面に付着した繊維状の塵と粗粉塵を掻き取る掻き取り手段と、を具備していることを特徴とするものである。
又、請求項２による繊維・粗粉塵用集塵機は、請求項１に記載の繊維・粗粉塵用集塵機において、上記フィルタードラムの周縁には、所定ピッチの係合穴が多数設けられており、上記回転駆動手段は上記係合穴と係合するスプロケットと、該スプロケットを回転駆動するギヤモータによって構成されていることを特徴とするものである。
又、請求項３による繊維・粗粉塵用集塵機は、請求項１又は請求項２に記載の繊維・粗粉塵用集塵機において、上記掻き取り手段は周面の一部に長手方向に延びるスリットが形成されたパイプ状部材によって構成されていることを特徴とするものである。
又、請求項４による繊維・粗粉塵用集塵機は、請求項１〜請求項３の何れかに記載の繊維・粗粉塵用集塵機において、上記掻き取り手段は上記フィルタードラム表面の捕集面の中心から外周にかけて半径方向に延びる直線上に配置されていることを特徴とするものである。
又、請求項５による繊維・粗粉塵用集塵機は、請求項１〜請求項４の何れかに記載の繊維・粗粉塵用集塵機において、上記掻き取り手段には掻き取った繊維状の塵と粗粉塵を外部に取り出す取出用ダクトホースが取り付けられていることを特徴とするものである。
又、請求項６による繊維・粗粉塵用集塵機は、請求項５に記載の繊維・粗粉塵用集塵機において、上記取出用ダクトホースの他端には外部に取り出した繊維状の塵と粗粉塵を袋体内に収容する第２集塵機が接続されていることを特徴とするものである。
又、請求項７による繊維・粗粉塵用集塵機は、請求項６に記載の繊維・粗粉塵用集塵機において、上記第２集塵機はドラムと、上記ドラムに着脱可能に取り付けられ吸引された繊維状の塵と粗粉塵を含んだエアが内側から外側に通過することにより繊維状の塵と粗粉塵を内側に分離させるフィルタと、上記ドラムに着脱可能に取り付けられ上記フィルタによって分離された繊維状の塵と粗粉塵を収容する袋体と、上記ドラムに接続され繊維状の塵と粗粉塵を含んだエアを吸引して上記フィルタ内に供給すると共に吸引した繊維状の塵と粗粉塵の塊を粉砕する吸気ファンと、を具備していることを特徴とするものである。
又、請求項８による繊維・粗粉塵用集塵機は、請求項７に記載の繊維・粗粉塵用集塵機において、上記第２集塵機におけるドラムと、フィルタと、袋体は２組設けられており、単一の吸気ファンによって吸引された繊維状の塵と粗粉塵を含んだエアを上記２組のうち何れか一方の組のドラムと、フィルタと、袋体に供給できるようにする切替え手段が設けられていることを特徴とするものである。
又、請求項９による繊維・粗粉塵用集塵機は、請求項８に記載の繊維・粗粉塵用集塵機において、上記切替え手段は、１つの吸入口と２つの排出口を備えたダンパーボックスと、上記ダンパーボックス内に収容され、上記２つの排出口を選択的に開放ないし閉鎖するダンパーと、上記ダンパーを回動させて流入経路を切り替える切替えレバーと、上記２つの排出口とドラムとを個別に接続する切替えダクトホースと、上記ダンパーの切替え状態をロックするロック手段と、を具備していることを特徴とするものである。
【考案の効果】
【０００６】
したがって、本考案による繊維・粗粉塵用集塵機によると、吸気口と排気口とを備える捕集ボックスと、上記排気口の近傍に設けられ、上記捕集ボックス内に吸気口から取り込んだエアを排気口から排気する気流を形成する排気ファンと、上記捕集ボックス内において回転可能な状態で設けられる円板状のフィルタードラムと、上記フィルタードラムを回転させる回転駆動手段と、上記フィルタードラムの表面に付着した繊維状の塵と粗粉塵を掻き取る掻き取り手段と、を具備しているので、掻き取り手段による掻取り作用でフィルタードラムの表面がクリーニングされ、フィルタードラムの表面の目詰まりが防止されて、長時間に亘る連続的な繊維状の塵や粗粉塵の捕集が可能になる。
又、フィルタードラムの周縁に係合穴を設け、該係合穴と係合するスプロケットを備えた回転駆動手段を設けた場合には、フィルタードラム自体を減速機の一部として利用した構造が簡単で機能的な回転駆動手段を提供できるようになる。
又、掻き取り手段を周面の一部にスリットが形成されたパイプ状部材によって構成して、フィルタードラム表面の捕集面の中心から外周にかけて半径方向に延びる直線上に配置した場合には、フィルタードラム表面の広範囲の捕集面を極めて簡単な構成で効率的に掻き取ることができる。
又、上記掻き取り手段に取出用ダクトホースを接続し、該取出用ダクトホースの他端に繊維状の塵と粗粉塵を袋体内に収容する第２集塵機を接続した場合には、上記フィルタードラムによって捕集した繊維状の塵と粗粉塵は速やかに外部に取り出されて第２集塵機の袋体内に収容されるから、メンテナンスが容易で、捕集効率の優れた繊維・粗粉塵用集塵機が提供できるようになる。
又、上記第２集塵機におけるドラムと、フィルタと、袋体とを２組設け、単一の吸気ファンによって吸引された繊維状の塵と粗粉塵を含んだエアを上記２組のうちいずれか一方の組のドラムと、フィルタと、袋体とに供給できるようにする切替え手段を設けた場合には繊維・粗粉塵用集塵機を稼動したままの状態で袋体の交換作業ができるようになり、更にメンテナンスが容易で、捕集効率の優れた繊維・粗粉塵用集塵機が提供できるようになる。
【考案を実施するための最良の形態】
【０００７】
以下、図１乃至図６を参照して本考案の繊維・粗粉塵用集塵機１の実施の形態の構成と作動態様について説明する。
本実施の形態に係る繊維・粗粉塵用集塵機１は、吸気口３と排気口５を有する捕集ボックス７を備えている。捕集ボックス７は幅２５００ｍｍ、高さ２５００ｍｍ、奥行１６５０ｍｍの角箱状の容器で、前面には前方に突出したフード９が設けられている。
そして上記吸気口３は上記フード９の前方に張り出した中心部に設けられており、上記排気口５は捕集ボックス７の上面から上方に立ち上げられるように設けられている円筒状の排気ダクト１１の上面に形成されている。
【０００８】
上記排気ダクト１１の内部には排気ファン１３が設けられており、該排気ファン１３によって上記吸気口３から取り込んだエアＡを上記排気口５から排気する気流を上記捕集ボックス７内に形成している。
又、上記排気ダクト１１の側傍には駆動モータ１５が設けられており、該駆動モータ１５の回転が動力伝達手段を介して上記排気ファン１３に伝わり、排気ファン１３を所定の方向に回転し得るようになっている。
又、捕集ボックス７内には支持フレーム１７が設けられており、該支持フレーム１７に対して軸受１９、１９を介して円板状のフィルタードラム２１が回転可能な状態で取り付けられている。
【０００９】
具体的にはフィルタードラム２１の背面の中心には後方に向けて水平に延びている回転軸２３が一体に取り付けられており、該回転軸２３が上記軸受１９、１９と嵌合することでフィルタードラム２１は自由に回転できるようになっている。
フィルタードラム２１は吸気口３から吸引した繊維状の塵と粗粉塵Ｂを含むエアＡから繊維状の塵と粗粉塵Ｂを捕集し、エアＡのみを後方に導いて排気口５に至らせる役割を有している。
そしてフィルタードラム２１の表面には繊維状の塵と粗粉塵Ｂを捕集する捕集面２５が中心から外周にかけての広い範囲に亘って設けられている。
【００１０】
又、上記フィルタードラム２１の表面側の周縁には、図２に示すように所定のピッチで多数の係合穴２７が設けられている。当該係合穴２７には回転駆動手段２９の構成部材である図３に示すスプロケット３１が係合し、スプロケット３１の回転が上記係合穴２７を介してフィルタードラム２１に伝達されるようになっている。
尚、上記回転駆動手段２９は上記係合穴２７と係合する上記スプロケット３１と、該スプロケット３１を回転駆動するギヤモータ３３とによって構成されている。
又、上記フィルタードラム２１表面の上記捕集面２５の前方には、当該捕集面２５に付着した繊維状の塵と粗粉塵Ｂを掻き取る掻き取り手段３５が設けられている。
【００１１】
上記掻き取り手段３５は図６（ａ）（ｂ）に示すように周面の一部に長手方向に延びるスリット３７が形成されたパイプ状部材によって構成されている。また上記掻き取り手段３５は図１、２に示すようにフィルタードラム２１の捕集面２５の中心から外周にかけて半径方向に延びる右方への水平直線上に配置されている。
又、上記掻き取り手段３５には図１に示すように取出用ダクトホース３９の一端が取り付けられるようになっており、掻き取り手段３５によって掻き取った繊維状の塵と粗粉塵Ｂは捕集ボックス７の外部に取り出され、後述する第２集塵機４１に供給されて袋体４３内に収容されるようになっている。
【００１２】
この他、捕集ボックス７の左側面には図４に示すように２枚の点検ドア７５、７５が設けられており、フィルタードラム２１や掻き取り手段３５のメンテナンス等の際に開閉して上記メンテナンス等を実行できるようになっている。
又、捕集ボックス７の右側面には図３に示すように２つの押し釦スイッチ４７、４７が設けられており、上記排気ファン１３の駆動モータ１５の起動、停止と、上記回転駆動手段２９のギヤモータ３３の起動、停止とをそれぞれ実行できるようになっている。
【００１３】
第２集塵機４１は図１及び図５に示すように中央に円筒状のドラム４９を備えており、該ドラム４９の上方に吊りサポート５１によって吊持されている底面が開放された袋状のフィルタ５３が設けられている。
尚、フィルタ５３は上記ドラム４９に対して着脱可能に取り付けられており、吸引された繊維状の塵と粗粉塵Ｂを含んだエアＡが内側から外側に通過することにより繊維状の塵と粗粉塵Ｂを内側に分離し、エアＡを外側に透過させる役割を有している。
【００１４】
又、上記ドラム４９の下方には上面が開放された袋体４３が着脱可能に取り付けられている。尚、上記袋体４３には上記フィルタ５３によって分離されて、下方に落下してくる繊維状の塵と粗粉塵Ｂが収容されるようになっている。
又、ドラム４９の周胴部には接線方向前方に延びる流入ダクト５５が設けられている。該流入ダクト５５には上記取出用ダクトホース３９によって捕集ボックス７の外部に取り出された繊維状の塵と粗粉塵Ｂを含んだエアＡが吸気ファン５７によって生起された気流に乗って流入するようになっている。
又、吸気ファン５７は上記役割に加えて、吸引した繊維状の塵と粗粉塵Ｂの塊を粉砕する役割も有している。
【００１５】
又、第２集塵機４１における上記ドラム４９と、フィルタ５３と、袋体４３は図５に示すように２組設けられている。そしてそれぞれのドラム４９に取り付けられている２つの流入ダクト５５、５５と、単一の吸気ファン５７とを接続する切替え手段５９が設けられている。
そして上記切替え手段５９によって単一の吸気ファン５７によって吸引された繊維状の塵と粗粉塵Ｂを含んだエアＡを上記２組のうちの何れか一方の組の流入ダクト５５から当該ドラム４９と、フィルタ５３と、袋体４３とに供給できるようになっている。
【００１６】
切替え手段５９は１つの吸入口６１と、２つの排出口６３、６３とを備えたダンパーボックス６５を備えている。ダンパーボックス６５は図５に示すように向かって右下のコーナ部が切り落とされている角箱状の部材で、該ダンパーボックス６５内には上記２つの排出口６３、６３の開放状態と閉鎖状態及び開度を切り替えることのできるダンパー６７が設けられている。
又、ダンパーボックス６５の前面には上記ダンパー６７を回動させて流入経路を切り替える切替えレバー６９と、上記ダンパー６７の切替え状態をロックするロック手段としての固定ノブ７１が設けられている。
又、上記２つの排出口６３、６３と、上記２つの流入ダクト５５、５５とを個別に接続する２本の切替えダクトホース７３が設けられており、これらの構成部材を具備することによって切替え手段５９は構成されている。
【００１７】
次にこのようにして構成される本実施の形態に係る繊維・粗粉塵用集塵機１の作動態様について説明する。
作業者が工場内に入って作業を始める場合には一方の押し釦スイッチ４７を押して駆動モータ１５を起動して排気ファン１３を回転させると共に、他方の押し釦スイッチ４７を押してギヤモータ３３を起動してフィルタードラム２１を回転させる。
そして排気ファン１３の回転によって捕集ボックス７内には吸気口３から排気口５に流れる気流が形成されて吸気口３から捕集ボックス７内に繊維状の塵と粗粉塵Ｂを含んだエアＡが取り込まれる。
【００１８】
そして捕集ボックス７内に取り込まれた繊維状の塵と粗粉塵Ｂを含んだエアＡはフィルタードラム２１によって繊維状の塵と粗粉塵ＢとエアＡとに分離され、繊維状の塵と粗粉塵Ｂはフィルタードラム２１表面の捕集面２５上に付着し、エアＡはフィルタードラム２１を透過して排気口５から外部に排気される。
又、捕集面２５上に付着した繊維状の塵と粗粉塵Ｂはフィルタードラム２１の回転に伴って掻き取り手段３５によって掻き取られるようになり、スリット３７から掻き取り手段３５内部に至り、更に取出用ダクトホース３９を通って第２集塵機４１に送られる。
【００１９】
第２集塵機４１に送られた繊維状の塵と粗粉塵Ｂを含んだエアＡは吸気ファン５７によって生起された風に乗ってダンパーボックス６５の吸入口６１からダンパーボックス６５内に運ばれる。
又、繊維状の塵と粗粉塵Ｂの塊が存在している場合には、吸気ファン５７の羽根車によって吸気ファン５７を通過する際に同じに細かく破砕される。
そしてダンパーボックス６５内に流入した繊維状の塵と粗粉塵Ｂを含んだエアＡはダンパー６７によって切り替えられている開放された一方の排出口６３から一方の切替えダクトホース７３を通って一方の流入ダクト５５から一方のドラム４９内に流入する。
【００２０】
一方のドラム４９内に流入した繊維状の塵と粗粉塵ＢはエアＡと共に上方のフィルタ５３内に螺線を描くように吹き上げられ、エアＡはフィルタ５３を透過して外方に排気され、繊維状の塵と粗粉塵Ｂはフィルタ５３の内面を滑ってドラム４９の下方に取り付けられている袋体４３内に収容されて行く。
そして当該袋体４３が一杯になったら、切替えレバー６９を操作してダンパー６７を切り替え、固定ノブ７１で当該切り替えた状態をロックする。これによってダンパーボックス６５内に流入した繊維状の塵と粗粉塵Ｂを含んだエアＡは他方の切替えダクトホース７３を通って他方の流入ダクト５５から他方のドラム４９に至り、フィルタ５３によってエアＡと分離された繊維状の塵と粗粉塵Ｂは当該フィルタ５３の下方に位置する他方の袋体４３内に落下して収容されるようになる。
【００２１】
又、この状態では上記一方のドラム４９には繊維状の塵と粗粉塵Ｂを含んだエアＡは供給されないから、上記一杯になった袋体４３を新しい袋体４３に繊維・粗粉塵用集塵機１を稼動した状態のままで交換できるようになっている。
従って本発明の繊維・粗粉塵用集塵機１によれば、フィルタードラム２１と掻き取り手段３５とによって繊維状の塵と粗粉塵Ｂの捕集を行いながら同時にフィルタードラム２１表面の捕集面２５がクリーニングされるから連続した長時間の使用が可能になっている。
【００２２】
又、掻き取り手段３５によって掻き取った繊維状の塵と粗粉塵Ｂは第２集塵機４１に送られ、第２集塵機４１のフィルタ５３にかけられて袋体４３内に自動的に収容されるから、取扱いが非常に簡単になっている。
又、切替え手段５９の採用によって袋体４３の交換作業が容易になり、繊維・粗粉塵用集塵機１の稼動を継続させた状態での袋体４３の交換作業が可能になる。
【００２３】
尚、本考案は上述した実施の形態に限定されるものではない。
例えば、本考案の繊維・粗粉塵用集塵機１は製紙工場や鋳物工場等に限らず、同様の繊維状の塵と粗粉塵Ｂが浮遊している種々の環境で使用可能である。
又、掻き取り手段３５の構成は上記の実施の形態の構成に限定されるものではなく、同様の掻き取り機能と、繊維状の塵と粗粉塵Ｂの吸引搬送機能を備えるものであれば種々の構成を採用することが可能である。例えば吸引口を備えたパイプ材にスクレーパーや掻き取りブラシ等を組み合わせた構成が一例として採用可能である。
【産業上の利用可能性】
【００２４】
本考案は、製紙向上や鋳物工場等、繊維状の塵と粗粉塵が浮遊する環境で利用でき、特に長時間の連続使用に耐えられる目詰まりの少ない繊維・粗粉塵用集塵機の製造、使用分野等で利用可能性を有する。
【図面の簡単な説明】
【００２５】
【図１】本考案の実施の形態を示す図で、繊維・粗粉塵用集塵機の全体の構成を示す正面図である。
【図２】本考案の実施の形態を示す図で、捕集ボックスとその周辺部材を示す正面図である。
【図３】本考案の実施の形態を示す図で、捕集ボックスとその周辺部材を示す右側面図（ａ）と、回転駆動手段の底面図（ｂ）である。
【図４】本考案の実施の形態を示す図で、捕集ボックスとその周辺部材を示す左側面図である。
【図５】本考案の実施の形態を示す図で、第２集塵機を示す左側面図である。
【図６】本考案の実施の形態を示す図で、掻き取り手段を示す背面図（ａ）と、側断面図（ｂ）である。
【符号の説明】
【００２６】
１  繊維・粗粉塵用集塵機
３  吸気口
５  排気口
７  捕集ボックス
９  フード
１１  排気ダクト
１３  排気ファン
１５  駆動モータ
１７  支持フレーム
１９  軸受
２１  フィルタードラム
２３  回転軸
２５  捕集面
２７  係合穴
２９  回転駆動手段
３１  スプロケット
３３  ギヤモータ
３５  掻き取り手段
３７  スリット
３９  取出用ダクトホース
４１  第２集塵機
４３  袋体
４７  押し釦スイッチ
４９  ドラム
５１  吊りサポート
５３  フィルタ
５５  流入ダクト
５７  吸気ファン
５９  切替え手段
６１  吸入口
６３  排出口
６５  ダンパーボックス
６７  ダンパー
６９  切替えレバー
７１  固定ノブ（ロック手段）
７３  切替えダクトホース
７５  点検ドア
Ａ  エア
Ｂ  繊維状の塵と粗粉塵
【図１】
0003132349.tif 000003
【図２】
0003132349.tif 000004
【図３】
0003132349.tif 000005
【図４】
0003132349.tif 000006
【図５】
0003132349.tif 000007
【図６】
0003132349.tif 000008